【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
患者の体内の標的組織領域に導入するサイズのマーカであって、
プリント回路基板であって、
前記マーカに当たるエネルギーパルスを電気エネルギーに変換するエネルギー変換器と、
前記エネルギーパルスによって開閉するように前記エネルギー変換器に結合されたスイッチと、
静電気放電事象に対する保護を提供するために前記スイッチに結合された静電気放電（ＥＳＤ）保護デバイスと、
を備えるプリント回路基板と、
前記プリント回路基板が電子機器パッケージに収容された又は組み込まれた電子機器パッケージと、
アンテナを提供するために前記スイッチに結合された一対の細長いワイヤと、
を備え、
前記スイッチが、前記アンテナにより反射されて信号源へと戻る信号を変調するために、開閉するように構成され、
各ワイヤは、前記電子機器パッケージ内の前記プリント回路基板に結合された第１端部と、拡大または丸みを帯びた先端で終わる第２自由端部とを含み、前記第１端部は、前記プリント回路基板への前記第１端部の結合を容易にすべく、各ワイヤが、前記プリント回路基板の長さに沿って、前記電子機器パッケージの第１の側から、前記第１の端部が前記プリント回路基板に結合されている場所に対して前記電子機器パッケージの反対側まで接線方向に延びるように、１またはそれ以上の屈曲部を含むことを特徴とするマーカ。
【請求項２】
請求項１に記載のマーカにおいて、
前記ワイヤは、前記マーカの長手方向軸に対して実質的に平行に延びるように、実質的に直線的な形状をとるようにバイアスされ、前記ワイヤの一方は、送達装置内に前記マーカを装填するのを改善するために、実質的に直線的の形状で前記長手方向軸からオフセットされることを特徴とするマーカ。
【請求項３】
請求項２に記載のマーカにおいて、
オフセットされた前記ワイヤが、前記オフセットされたワイヤの前記第２自由端部が前記送達装置の内面に摺動可能に係合するように、前記実質的に直線的な形状にあるときに、前記長手方向軸に対して鋭角を規定することを特徴とするマーカ。
【請求項４】
請求項１に記載のマーカにおいて、
前記スイッチが、電界効果トランジスタ（ＦＥＴ）またはショットキーダイオードを含むことを特徴とするマーカ。
【請求項５】
請求項４に記載のマーカにおいて、
前記細長いワイヤの第１端部が、前記ＦＥＴまたは前記ショットキーダイオードの端子に結合されて前記アンテナを提供することを特徴とするマーカ。
【請求項６】
請求項１に記載のマーカにおいて、
前記エネルギー変換器が、光源から受け取った光パルスを変換して前記スイッチを開閉するための電圧を生成するように構成された１またはそれ以上の感光性ダイオードを含むことを特徴とするマーカ。
【請求項７】
請求項１に記載のマーカにおいて、
前記スイッチが、電界効果トランジスタ（ＦＥＴ）を含み、前記一対の細長いワイヤが、前記アンテナを提供するために、前記ＦＥＴのドレインに接続された第１ワイヤと、前記ＦＥＴのソースに接続された第２ワイヤとを含むことを特徴とするマーカ。
【請求項８】
請求項７に記載のマーカにおいて、
前記ＥＳＤ保護装置が、前記ＦＥＴの前記ドレインと前記ソースとの間に接続されて、前記ドレインとソースとの間の最大電圧を設定することを特徴とするマーカ。
【請求項９】
請求項７に記載のマーカにおいて、
前記エネルギー変換器が、前記ＦＥＴのゲートと前記ソースとの間に接続された１またはそれ以上の感光性ダイオードを含み、光源から受け取った光パルスを変換して前記ＦＥＴを開閉する電圧を発生させることを特徴とするマーカ。
【請求項１０】
請求項１に記載のマーカにおいて、
前記細長いワイヤが、前記電子機器パッケージからほぼ反対の方向に延在することを特徴とするマーカ。
【請求項１１】
患者の体内の標的組織領域に導入するサイズのマーカであって、
プリント回路基板であって、
電界効果トランジスタ（ＦＥＴ）を備えるスイッチと、
前記ＦＥＴのソースとゲートとの間に直列に接続され、光源から受け取った光パルスを変換して前記ＦＥＴを開閉するための電圧を生成する１またはそれ以上の感光性ダイオードを備えるエネルギー変換器と、
静電気放電事象に対する保護を提供するために、ドレインとソースの間に最大電圧を設定するために、前記ＦＥＴのドレインおよびソースの間のスイッチに接続された静電放電（ＥＳＤ）保護装置と、
を備えるプリント回路基板と、
前記プリント回路基板が電子機器パッケージに収容された又は組み込まれた電子機器パッケージと、
アンテナを提供するために前記ＦＥＴのドレインと前記ＦＥＴのソースに結合された一対の細長いワイヤであって、前記ＦＥＴは前記アンテナにより反射されて信号源へと戻る信号を変調するために、開閉するように構成され、前記ＦＥＴを開閉すると、前記アンテナの反射特性の周期的な変調を提供する、ワイヤと、
を備え、
各ワイヤは、前記電子機器パッケージ内の前記プリント回路基板に結合された第１端部と、拡大または丸みを帯びた先端で終わる第２自由端部とを含み、前記第１端部は、前記プリント回路基板への前記第１端部の結合を容易にすべく、各ワイヤが、前記プリント回路基板の長さに沿って、前記電子機器パッケージの第１の側から、前記第１の端部が前記プリント回路基板に結合されている場所に対して前記電子機器パッケージの反対側まで接線方向に延びるように、１またはそれ以上の屈曲部を含むことを特徴とするマーカ。
【請求項１２】
請求項１１に記載のマーカにおいて、
前記一対の細長いワイヤが、前記アンテナを提供するために、前記ＦＥＴのドレインに接続された第１ワイヤと、前記ＦＥＴのソースに結合された第２ワイヤとを備え、前記ＦＥＴが閉じているときに、前記第１ワイヤおよび第２ワイヤが互いに接続されるように前記アンテナを提供することを特徴とするマーカ。
【請求項１３】
請求項１１に記載のマーカにおいて、
前記１またはそれ以上の感光性ダイオードが、互いに直交して配置された複数のダイオードを含むことを特徴とするマーカ。
【請求項１４】
請求項１１に記載のマーカにおいて、
前記細長いワイヤが、実質的に直線状の形態にバイアスされていることを特徴とするマーカ。
【請求項１５】
請求項１１に記載のマーカにおいて、
前記細長いワイヤが、前記１またはそれ以上の感光性ダイオードおよび前記ＦＥＴを収容するパッケージからほぼ反対の方向に延びることを特徴とするマーカ。
【請求項１６】
請求項１１に記載のマーカにおいて、
前記ＦＥＴのソースとゲートとの間に接続された抵抗器をさらに備えることを特徴とするマーカ。
【請求項１７】
体内のマーカの位置を特定するシステムであって、
請求項１−１６の何れか一項に記載のマーカと、
前記マーカに向けて体内に送信信号を送信するように構成された送信アンテナと、前記マーカから反射される受信信号を受信するように構成された受信アンテナであって、プローブの先端に収容された受信アンテナと、前記スイッチが開閉して、前記マーカにより反射されて前記受信アンテナに戻る信号が変調されるように、体内にエネルギーパルスを供給するためのエネルギー源と、を備えるプローブと、
前記受信アンテナに接続されたプロセッサであって、前記マーカにより反射されて変調された信号に少なくとも部分的に基づいて、体内の前記マーカの位置を特定するプロセッサと、
前記プローブの先端部から前記マーカまでの距離を表す情報を提示するディスプレイとを備えることを特徴とするシステム。
【請求項１８】
請求項１７に記載のシステムにおいて、
前記送信アンテナがボウタイアンテナ素子であり、前記受信アンテナがボウタイアンテナ素子であり、前記送信アンテナと前記受信アンテナがマルタクロスアンテナを一緒に形成することを特徴とするシステム。
【請求項１９】
請求項１７に記載のシステムにおいて、
インピーダンス整合のために、前記送信アンテナおよび前記受信アンテナの上に取り付けられたセラミック素子をさらに備えることを特徴とするシステム。
【請求項２０】
請求項１７に記載のシステムにおいて、
前記エネルギー源が光源を含み、前記エネルギー変換器が、前記光源からの光を変換して前記スイッチを開閉するための電圧を生成するように構成された１またはそれ以上の感光性ダイオードを含むことを特徴とするシステム。